(57)【要約】【課題】ガード超え遅延波のレベルが大きい場合に受信特性を改善する。【解決手段】アンテナを使用して、直交周波数分割多重変調（ＯＦＤＭ：Orthogonal Frequency Division Multiplexing）信号を復調するＯＦＤＭ復調装置において、推定手段１０２が、アンテナで受信した受信信号の伝送路応答を推定する。制御手段１０３が、伝送路応答に基づいて、受信信号に含まれる遅延波と先行波において最大遅延時間の遅延波の先頭から最先の先行波の後尾までの期間の一部である保持期間を制御する。保持手段１０４が、保持期間に対応する受信信号を保持する。判定手段１０５が、伝送路応答に基づいて生成した、受信信号のレプリカと、保持されている受信信号との間の最尤推定によりシンボル判定する。【選択図】図１
2006157732.tif 000002
【特許請求の範囲】
【請求項１】
アンテナを使用して、直交周波数分割多重変調（ＯＦＤＭ：Orthogonal Frequency Division Multiplexing）信号を復調するＯＦＤＭ復調装置において、
前記アンテナで受信した受信信号の伝送路応答を推定する推定手段と、
前記伝送路応答に基づいて、前記受信信号に含まれる遅延波と先行波において最大遅延時間を有する遅延波の先頭から最先の先行波の後尾までの期間の一部である保持期間を制御する制御手段と、
前記保持期間に対応する受信信号を保持する保持手段と、
前記伝送路応答に基づいて生成した、受信信号のレプリカと、前記保持されている受信信号との間の最尤推定によりシンボル判定する判定手段を具備することを特徴とするＯＦＤＭ復調装置。
【請求項２】
前記判定手段は、
シンボル候補を生成するシンボル生成手段と、
前記シンボル候補を時間信号に変換する変換手段と、
前記伝送路応答推定値に基づいて、前記時間信号から前記受信信号のレプリカを生成するレプリカ生成手段と、
前記保持された受信信号と前記レプリカとの尤度を算出する算出手段と、
前記シンボル候補のうち、前記尤度が最大となるシンボルを選択する選択手段を具備することを特徴とする請求項１に記載のＯＦＤＭ復調装置。
【請求項３】
前記選択されたシンボルの誤り訂正復号を行なう復号手段をさらに具備し、
前記シンボル生成手段は、前記誤り訂正復号部の誤り訂正能力に応じてＯＦＤＭシンボルに含まれる複数のサブキャリアのうちの少なくとも１つのサブキャリアの値を零にすることを特徴とする請求項２に記載のＯＦＤＭ復調装置。
【請求項４】
前記受信信号から伝送情報を検出する検出手段をさらに具備し、
前記シンボル生成手段は、前記伝送情報に応じてＯＦＤＭシンボルに含まれる複数のサブキャリアのうちの少なくとも１つのサブキャリアの値を零にすることを特徴とする請求項３記載のＯＦＤＭ復調装置。
【請求項５】
前記伝送情報は、キャリア変調方式及び畳み込み符号化率の少なくともいずれか１つであることを特徴とする請求項４に記載のＯＦＤＭ復調装置。
【請求項６】
前記シンボル生成手段は、前記伝送情報に応じて値を零にするサブキャリアの間隔を記憶している記憶手段を含むことを特徴とする請求項４又は請求項５に記載のＯＦＤＭ復調装置。
【請求項７】
前記選択されたシンボルの誤り訂正復号を行なう復号手段をさらに具備し、
前記シンボル生成手段は、前記伝送路応答のレベルに基づいて選択したサブキャリアの値を零にすることを特徴とする請求項２記載のＯＦＤＭ復調装置。
【請求項８】
前記シンボル生成手段は、
サブキャリアのレベルの閾値を設定する閾値設定手段と、
前記伝送路応答が前記閾値以下であるサブキャリアの値を零に設定するサブキャリア値設定手段を具備することを特徴とする請求項７記載のＯＦＤＭ復調装置。
【請求項９】
前記選択されたシンボルの誤り訂正復号を行なう復号手段をさらに具備し、
前記シンボル生成手段は、各サブキャリアの信号点候補のうちの振幅が予め設定された閾値よりも小さい信号点候補の精度を下げることを特徴とする請求項２に記載のＯＦＤＭ復調装置。
【請求項１０】
前記シンボル生成手段は、ある領域ごとに代表となる代表信号点を設定し、各代表信号点に対するシンボル候補から算出した尤度が最大となる判定値に対応する信号点を選択して、シンボル候補を絞り込むことを特徴とする請求項２に記載のＯＦＤＭ復調装置。
【請求項１１】
前記シンボル生成手段は、ＯＦＤＭシンボルを複数のサブキャリア群に分け、各サブキャリア群に対応するシンボル候補を生成し、
前記選択手段は、前記各サブキャリア群のサブキャリアごとにシンボルを選択することを特徴とする請求項２に記載のＯＦＤＭ復調装置。
【請求項１２】
前記シンボル生成手段は、前記ＯＦＤＭシンボルと同一のＯＦＤＭシンボルの第１のサブキャリア群の信号点判定結果を反映させて第２のサブキャリア群に対応するシンボル候補を生成することを特徴とする請求項１１に記載のＯＦＤＭ復調装置。
【請求項１３】
前記選択手段は、前記第２のサブキャリア群の各サブキャリアの信号点を判定し、
前記シンボル生成手段は、前記第２のサブキャリア群の信号点判定結果を反映させて前記第１のサブキャリア群に対応するシンボル候補を再度生成し、
前記選択手段は、前記第１のサブキャリア群の各サブキャリアの信号点を再度判定することを特徴とする請求項１２に記載のＯＦＤＭ復調装置。
【請求項１４】
前記シンボル生成手段及び前記選択手段は、前記算出手段が算出した尤度がある値以上になるまで、繰り返し処理を行うことを特徴とする請求項１３に記載のＯＦＤＭ復調装置。
【請求項１５】
前記シンボル生成手段は、前記伝送路応答に基づいて、伝送路応答の値がある値よりも大きい１本以上の代表サブキャリアに対してシンボル候補を生成し、
前記選択手段は、前記代表サブキャリアの信号点を判定し、
前記シンボル生成手段は、信頼度の高い前記サブキャリアの信号点判定結果を反映させて残りのサブキャリアを少なくとも１本ずつ加えてシンボル候補を生成することを特徴とする請求項２に記載のＯＦＤＭ復調装置。
【請求項１６】
前記受信信号のドップラーシフト量を推定するドップラーシフト推定手段をさらに具備し、
前記レプリカ生成手段は、前記伝送路応答及び前記推定されたドップラーシフト値に基づいて受信信号のレプリカを生成することを特徴とする請求項２記載のＯＦＤＭ復調装置。
【発明の詳細な説明】
【技術分野】
【０００１】
本発明は、直交周波数分割多重変調（ＯＦＤＭ：Orthogonal Frequency Division Multiplexing）信号を復調するＯＦＤＭ復調装置に関し、特にガードインターバルを超える遅延波による干渉を低減するＯＦＤＭ復調装置に関する。
【背景技術】
【０００２】
従来のガード超え遅延波対策としての等化器は、ガード超え遅延波を除去する。例えば、このような等化器としては、例えば、フィードバック型等化器を用いている（例えば、特許文献１参照）。
【特許文献１】特開２００２−３２９７１５公報
【発明の開示】
【発明が解決しようとする課題】
【０００３】
しかしながら、上記した従来技術においては、ガード超え遅延波のレベルが大きくなるにしたがって受信特性が劣化するという問題がある。
【０００４】
本発明は、上記の問題を解決するためになされたものであり、ガード超え遅延波のレベルが大きい場合に受信特性を改善するＯＦＤＭ復調装置を提供することを目的とする。
【課題を解決するための手段】
【０００５】
本発明のＯＦＤＭ復調装置によれば、アンテナを使用して、直交周波数分割多重変調（ＯＦＤＭ：Orthogonal Frequency Division Multiplexing）信号を復調するＯＦＤＭ復調装置において、前記アンテナで受信した受信信号の伝送路応答を推定する推定手段と、前記伝送路応答に基づいて、前記受信信号に含まれる遅延波と先行波において最大遅延時間を有する遅延波の先頭から最先の先行波の後尾までの期間の一部である保持期間を制御する制御手段と、前記保持期間に対応する受信信号を保持する保持手段と、前記伝送路応答に基づいて生成した、受信信号のレプリカと、前記保持されている受信信号との間の最尤推定によりシンボル判定する判定手段を具備することを特徴とする。
【発明の効果】
【０００６】
本発明のＯＦＤＭ復調装置によれば、ガード超え遅延波のレベルが大きい場合に受信特性を改善することができる。
【発明を実施するための最良の形態】
【０００７】
以下、図面を参照しながら本発明の実施形態にかかるＯＦＤＭ復調装置について詳細に説明する。  
（第１の実施形態）  
第１の実施形態にかかるＯＦＤＭ復調装置について図１を参照して説明する。  
本実施形態のＯＦＤＭ復調装置は、アンテナ１０１、Ｃｈ（チャネル）推定部１０２、保持区間制御部１０３、データ保持部１０４、最尤シンボル判定部１０５を備えている。  
最尤シンボル判定部１０５は、シンボル生成部１０６、ＩＦＦＴ（inverse fast Fourier transformer）１０７、レプリカ生成部１０８、尤度算出部１０９、シンボル判定部１１０を備えている。
【０００８】
アンテナ１０１は、ＯＦＤＭ信号を受け取り、ＬＮＡ（low noise amplifier）に出力する。ＬＮＡは、ＯＦＤＭ信号を所望の振幅に増幅する。周波数変換部は、ＬＮＡで増幅されたＯＦＤＭ信号を、ＩＦ（intermediate frequency）周波数帯に変換する。可変ゲインアンプは、周波数変換されたＯＦＤＭ信号を適切な信号レベルに調整する。直交復調部は、レベルを調整されたＯＦＤＭ信号をベースバンド信号に直交復調する。Ａ／Ｄ変換器は、ベースバンド信号をデジタル信号に変換する。ＬＮＡ、周波数変換部、可変ゲインアンプ、直交復調部、及びＡ／Ｄ変換器は、通常よく知られた装置なので、このような簡単な説明にとどめ図示をしない。
【０００９】
Ｃｈ推定部１０２は、デジタル信号を入力して、伝送路応答を推定する。Ｃｈ推定部１０２は、ＯＦＤＭ信号のうちの先頭波から遅延波がどの程度遅れているかを推定する。Ｃｈ推定部１０２は、チャネル係数と遅延時間を推定する。  
保持区間制御部１０３は、伝送路応答値に基づいて、デジタル信号を記憶しておく期間であるデータ保持区間を設定する。保持区間制御部１０３は、最大の遅延時間を有する遅延波の先頭から先頭の先行波の後尾までの期間の一部をデータ保持区間とする。このデータ保持区間については後に図２を参照して説明する。データ保持部１０４は、設定されたデータ保持区間に存在するデジタル信号を記憶しておく。
【００１０】
最尤シンボル判定部１０５は、Ｃｈ推定部１０２からの伝送路応答値に基づいてレプリカ（replica）を生成し、データ保持部１０４に記憶されているデジタル信号とレプリカとの尤度が最大となるシンボルを選択すると判定する。
【００１１】
シンボル生成部１０６は、上位レイヤからの変調方式の情報（例えば、ＱＰＳＫ（quadrature phase-shift keying）、１６ＱＡＭ（quadrature amplitude modulation）、６４ＱＡＭ等）、シーケンサからのサブキャリア番号の情報、シーケンサからの信号点のカウンタ値を入力して、シンボル候補を生成する。ＩＦＦＴ１０７は、生成されたシンボル候補を逆フーリエ変換して時間信号に変換する。
【００１２】
レプリカ生成部１０８は、Ｃｈ推定部１０２で推定された伝送路応答推定値に基づいて受信信号のレプリカを生成する。レプリカ生成部１０８は、受信信号の先頭波から検出可能なレベルの遅延波に対応する複数のレプリカを生成する。
【００１３】
尤度算出部１０９は、データ保持部１０４で記憶されていたデジタル信号とレプリカとの尤度を算出する。シンボル判定部１１０は、尤度算出部１０９で算出された尤度が最大のシンボルを選択する。
【００１４】
次に、最尤シンボル判定部１０５でのデジタル信号の変化について図２を参照して説明する。  
シンボル生成部１０６は、シンボル候補２０１を生成する。その後、ＩＦＦＴ１０７がシンボル候補２０１を逆フーリエ変換し、時間信号にする。レプリカ生成部１０８は、先頭波から検出可能なレベルの遅延波までに対応する複数のレプリカ２０３を生成する。尤度算出部１０９が、データ保持部１０４で記憶されているデジタル信号と各レプリカとの尤度を算出する。
【００１５】
図２の例では、２０５に示すように、保持区間制御部１０３は、最大遅延時間を有する遅延波の先頭から先頭の先行波の後尾までの区間をデータ保持区間としている。
【００１６】
次に、最尤シンボル判定部１０５の詳細について図３を参照して説明する。  
図３に示すように、シンボル生成部１０６は信号点生成部３０１、サブキャリアマッピング部３０２を含み、レプリカ生成部１０８はＧＩ（ガードインターバル）付加部３０３、遅延波合成部３０４を含み、シンボル判定部１１０は最小誤差検出部３０５、シンボル保持部３０６を含んでいる。
【００１７】
信号点生成部３０１は、各サブキャリアの信号点（Ｓ１，Ｓ２、‥、ＳＫ）を生成する。本実施形態では、サブキャリア数をＫとする。信号点生成部３０１は、上位レイヤからの変調方式の情報（ＱＰＳＫ、１６ＱＡＭ、６４ＱＡＭ等）、シーケンサからのサブキャリア番号の情報、シーケンサからの信号点のカウンタを入力して、信号点を生成する。信号点生成部３０１は、例えば、上位レイヤからの変調方式の情報が６４ＱＡＭ、シーケンサからのサブキャリア番号の情報が５、シーケンサからの信号点のカウンタが３を入力した場合は、５番目のサブキャリアに６４ＱＡＭの信号点６４個のうち３番目の信号点を生成する。  
サブキャリアマッピング部３０２は、信号点生成部３０１が生成した信号点をサブキャリアにマッピングする。
【００１８】
ＧＩ付加部３０３は、ＩＦＦＴ１０７で変換されて出力された時間信号にＧＩを付加する。遅延波合成部３０４は、ＧＩを付加した信号Ｘ（ｔ）と、チャネル係数Ｈと、遅延時間τとに基づいて遅延波成分を生成し合成する。具体的には、遅延波合成部３０４は、Ｙｒ＝Ｘ（ｔ）＋Ｈ×Ｘ（ｔ−τ）を計算する。ここでは、遅延波が１波の場合を説明しているが、遅延波が２波以上でも適用可能である。
【００１９】
尤度算出部１０９は、レプリカ生成部１０８の出力信号Ｙｒとデータ保持部１０４が記憶しているデジタル信号Ｙとの平均二乗誤差ｅ＝Ｅ｛｜Ｙ−Ｙｒ｜２｝を算出する。この誤差ｅが最小となるシンボルが尤度最大のシンボルとなる。
【００２０】
最小誤差検出部３０５は、誤差ｅが最小となった時にトリガ信号を発生することにより、最小誤差を検出する。シンボル保持部３０６は、最小誤差検出部３０５がトリガ信号を発生した時の信号点（Ｓ’１，Ｓ’２、‥、Ｓ’Ｋ）を記憶する。
【００２１】
以上に示した第１の実施形態によれば、ガード超え遅延波を合成するので、干渉キャンセラと比べて受信性能が改善する。また、受信信号を保持する区間を伝送路応答推定値に応じて変化させることで前シンボル干渉の影響を受けない。また、有効シンボル長より短い区間の受信信号を従来のようにＦＦＴしてシンボル判定するとサブキャリア間の干渉が生じて正常にシンボル判定できないが、第１の実施形態では、受信信号をＦＦＴしないため、サブキャリア間干渉が生じることなく、正常にシンボル判定することができる。
【００２２】
（第２の実施形態）   
本実施形態は、誤り訂正復号をする場合であり、誤り訂正復号の訂正能力に応じてサブキャリアのデータを消失させることによってシンボル候補数を削減する。第１の実施形態のＯＦＤＭ復調装置と同一の装置部分は同一の符号を付しその説明を省略する。
【００２３】
本実施形態のＯＦＤＭ復調装置は、第１の実施形態のＯＦＤＭ復調装置に加えて、デインターリーブ部４０１と畳み込み復号部４０２を備える。  
デインターリーブ部４０１は、最尤シンボル判定部１０５で選択されたシンボルをデインターリーブする。畳み込み復号部４０２は、デインターリーブされた信号に対して畳み込み復号を行う。畳み込み復号は誤り訂正復号の１つである。
【００２４】
シンボル生成部１０６は、畳み込み復号部４０２の誤り訂正能力に応じて上位レイヤから入力する情報に基づいて、ＯＦＤＭシンボルに含まれる複数のサブキャリアのうちの所定の数のサブキャリアの値を零にする。シンボル生成部１０６は、例えば、図５に示したように、３本おきにサブキャリアを零に設定する（５０１から５０４）。
【００２５】
以上に示した第２の実施形態によれば、誤り訂正復号の能力に応じてサブキャリアを零にする数を調整することによって、シンボル候補の数を少なくして、処理量の削減を実現することができる。
【００２６】
（第３の実施形態）   
本実施形態は、キャリアの変調方式、誤り訂正符号化率に応じてサブキャリアのデータを消失させることによってシンボル候補数を削減する。第１及び第２の実施形態のＯＦＤＭ復調装置と同一の装置部分は同一の符号を付しその説明を省略する。  
本実施形態のＯＦＤＭ復調装置は、図６に示すように、新たに伝送情報検出部６０３を備えている。
【００２７】
最尤シンボル判定部６０１は、キャリアの変調方式、誤り訂正符号化率（本実施形態では畳み込み符号化率）に基づいてサブキャリア中のいくつかを零に設定し、Ｃｈ推定部１０２からの伝送路応答値に基づいてレプリカを生成し、データ保持部１０４に記憶されているデジタル信号とレプリカとの尤度が最大となるシンボルを選択する。
【００２８】
シンボル生成部６０２は、伝送情報検出部６０３から伝送情報を得て、この伝送情報に応じてＯＦＤＭシンボルに含まれる複数のサブキャリアのうち所定の数のサブキャリアの値を零にする。ここで、伝送情報とは、例えば、キャリア変調方式、畳み込み符号化率等である。シンボル生成部６０２は、例えば、図７に示したように、３本おきにサブキャリアを零に設定する（７０１から７０４）。伝送情報検出部６０３は、最尤シンボル判定部６０１で決定したシンボルに基づいて受信信号に含まれている伝送情報を検出する。
【００２９】
次に、シンボル生成部６０２について図８を参照して説明する。  
シンボル生成部６０２は、消失キャリア間隔決定部８０１、信号点生成部３０１、サブキャリアマッピング部３０２を含んでいる。消失キャリア間隔決定部８０１は、伝送情報検出部６０３から受け取った伝送情報に応じて、消失キャリア間隔を決定する。消失キャリア間隔は、変調方式、すなわち、伝送レートに対して単調増加の関係があり、符号化率に対して単調増加の関係がある。消失キャリア間隔決定部８０１は、例えば、変調方式がＱＰＳＫ、符号化率が１／２である場合に、消失キャリア間隔を４に設定する。
【００３０】
以上に示した第３の実施形態によれば、キャリア変調方式、誤り訂正符号化率等の伝送情報に基づき誤り訂正復号部の誤り訂正能力に応じて所定の数のサブキャリアを零にすることによって、シンボル候補の数が少なくして、処理量の削減を実現することができる。
【００３１】
（第４の実施形態）   
本実施形態では、誤り訂正復号を行うことを前提として、Ｃｈ推定部１０２でレベルの低いサブキャリアのデータを消失させることによってシンボル候補数を削減する。第１及び第２の実施形態のＯＦＤＭ復調装置と同一の装置部分は同一の符号を付しその説明を省略する。本実施形態のＯＦＤＭ復調装置は、図９に示すように、最尤シンボル判定部９０１が今までの実施形態とは異なる。  
最尤シンボル判定部９０１は、Ｃｈ推定部１０２からの伝送路応答に基づいて、あるサブキャリアの値を零に設定した上でＣｈ推定部１０２からの伝送路応答値に基づいてレプリカ（replica）を生成し、データ保持部１０４に記憶されているデジタル信号とレプリカとの尤度が最大となるシンボルを選択する。
【００３２】
シンボル生成部９０２は、Ｃｈ推定部１０２が推定した伝送路応答値を入力し、この値がある一定のレベル以下であるサブキャリアの値を零に設定してシンボルを生成する。シンボル生成部９０２は、例えば、図１０に示す１００１、１００２のサブキャリアの伝送路応答が所定のレベル以下であるので、これらのサブキャリアの値を零に設定してシンボルを生成する。
【００３３】
次に、シンボル生成部９０２について図１１を参照して説明する。  
シンボル生成部９０２は、消失サブキャリア選択部１１０１、サブキャリアレベル閾値設定部１１０２、信号点生成部３０１、サブキャリアマッピング部３０２を含んでいる。  
消失サブキャリア選択部１１０１は、Ｃｈ推定部１０２からの各サブキャリアの伝送路応答値を入力して、伝送路応答値が閾値（例えば、−８５ｄＢｍ）以下のサブキャリアを消失させる。Ｃｈ推定部１０２が図１１に示した伝送路応答を出力した場合には、Ｓ３とＳ９のサブキャリアが−８５ｄＢｍ以下であるので、消失サブキャリア選択部１１０１はこれらのサブキャリアを消失させる。すなわち、消失サブキャリア選択部１１０１はＳ３とＳ９のサブキャリアの信号点を０に設定する。
【００３４】
サブキャリアレベル閾値設定部１１０２は、消失サブキャリア選択部１１０１での伝送路応答値と比較する閾値を設定する。図１１では、サブキャリアレベル閾値設定部１１０２は、閾値を−８５ｄＢｍに設定する。この閾値は、シミュレーション又は実験等によって、伝搬環境、ＯＦＤＭ復調装置の性能等に依存して決定される。
【００３５】
以上に示した第４の実施形態によれば、伝送路応答値が所定レベル以下のサブキャリアは受信信号との尤度算出に与える影響が小さいので、所定レベル以下のサブキャリアを零にすることによって、尤度算出に影響を与えず、かつ、シンボル候補の数が少なくなるため、処理量を削減することが可能になる。
【００３６】
（第５の実施形態）   
本実施形態のＯＦＤＭ復調装置は、誤り訂正の能力に応じて振幅が小さい信号点を他の信号点で代用することによって、シンボル候補数を削減する。第１及び第２の実施形態のＯＦＤＭ復調装置と同一の装置部分は同一の符号を付しその説明を省略する。本実施形態のＯＦＤＭ復調装置は、図１２に示すように、最尤シンボル判定部１２０１が今までの実施形態とは異なる。  
最尤シンボル判定部１２０１は、各サブキャリアの信号点候補のうち、振幅が小さい信号点候補の精度を下げシンボル候補を生成し、このシンボル候補とＣｈ推定部１０２からの伝送路応答に基づいてレプリカ（replica）を生成し、データ保持部１０４に記憶されているデジタル信号とレプリカとの尤度が最大となるシンボルを選択する。
【００３７】
シンボル生成部１２０２は、各サブキャリアの信号点候補のうち、振幅が小さい信号点候補の精度を下げる。すなわち、シンボル生成部１２０２は、複数の振幅の小さい信号点をこれよりも数の少ない同程度の振幅を有する信号点に置き換える。例えば、シンボル生成部１２０２は、図１３に示したように、白丸で示されている振幅の小さい信号点候補を斜線の入った丸で示されている信号点候補に置き換える。この例では、白丸の信号点候補は１６個あり、斜線の入った丸の信号点候補は５個である。
【００３８】
次に、シンボル生成部１２０２について図１４を参照して説明する。  
シンボル生成部１２０２は、信号点保持部１４０１、信号点振幅算出部１４０２、信号点振幅閾値設定部１４０３、小振幅信号点検出部１４０４、低精度信号点保持部１４０５、信号点選択部１４０６、サブキャリアマッピング部３０２を含んでいる。
【００３９】
信号点保持部１４０１は、変調方式に対応する信号点（例えば、６４ＱＡＭの信号点）を保持する。信号点振幅算出部１４０２は、変調方式に対応する信号点の振幅を算出する。信号点振幅閾値設定部１４０３は、信号点の振幅閾値（Ｒ）を設定する。小振幅信号点検出部１４０４は、信号点の振幅閾値（Ｒ）と変調方式に対応する信号点の振幅を入力して、閾値（Ｒ）よりも小さい振幅を有する信号点を検出する。  
低精度信号点保持部１４０５は、信号点の振幅が閾値（Ｒ）よりも小さい振幅である場合に、この信号点の代用となる低精度な信号点を記憶している。信号点選択部１４０６は、小振幅信号点検出部１４０４で検出された小振幅の信号点を低精度信号点保持部１４０５に記憶されている低精度な信号点に置き換えて出力し、この信号点以外の振幅が閾値（Ｒ）以上の信号点はそのまま出力する。
【００４０】
以上に示した第５の実施形態によれば、振幅が小さい信号点は受信信号との尤度算出に与える影響が小さいので、振幅が小さい信号点候補の精度を下げることによって、尤度算出に影響を与えずにシンボル候補の数を少なくすることができる。したがって、本実施形態のＯＦＤＭ復調装置によれば、処理量を削減することが可能になる。
【００４１】
（第６の実施形態）   
本実施形態のＯＦＤＭ復調装置は、変調方式に対応する複数の信号点のうち、尤度を算出する場合に大きな影響を与える信号点が存在する領域を求め、シンボル候補の数を削減する。第１の実施形態のＯＦＤＭ復調装置と同一の装置部分は同一の符号を付しその説明を省略する。  
本実施形態のＯＦＤＭ復調装置は、第１の実施形態とは、シンボル生成部１５０２のみが異なる。シンボル生成部１５０２は、各サブキャリアに対して、まず、ある領域ごとにその領域を代表する信号点として仮の信号点をいくつか定め、この仮の信号点に対してシンボル候補を生成する（第１段階）。シンボル生成部１５０２は、この各シンボル候補に対するシンボル判定値（すなわち、尤度が最も大きくなるシンボルを示す値）に対応する信号点を選択する。そして、シンボル生成部１５０２は、この選択された信号点に対応する領域に含まれる信号点に基づいて、シンボル候補を生成する（第２段階）。  
具体的な例について図１６を参照して説明する。１段階目として、シンボル生成部１５０２は、サブキャリアごとに、９点の代表信号点１６０２に対してシンボル候補を生成する。シンボル生成部１５０２は、このシンボル候補のうちで最も尤度が大きくなるシンボル候補を選択し、このシンボル候補に対応する領域にある１６個の信号点を選択する。そして、シンボル生成部１５０２は、この選択された１６個の信号点に基づいて、シンボル候補を生成する（第２段階）。
【００４２】
この他にもシンボル生成部１５０２が信号点の数を減らす手法はある。ここでは、図１７、図１８に示した２つの具体例を参照して説明する。  
シンボル生成部１５０２は、各サブキャリアに対して、まず、ある領域ごとにその領域を代表する信号点として仮の信号点をいくつか定め、この仮の信号点に対してシンボル候補を生成する（第１段階）。シンボル生成部１５０２は、この各シンボル候補に対するシンボル判定値（すなわち、尤度が最も大きくなるシンボルを示す値）に対応する信号点を選択する。そして、シンボル生成部１５０２は、この選択された信号点の領域を代表する信号点として仮の信号点をいくつか定め、基づいて、シンボル候補を生成する（第２段階）。再び、シンボル生成部１５０２は、この各シンボル候補に対するシンボル判定値に対応する信号点を選択する。そして、シンボル生成部１５０２は、この選択された信号点に対応する領域に含まれる信号点に基づいて、シンボル候補を生成する（第３段階）。
【００４３】
（例１）  
第１の例について図１７を参照して説明する。シンボル生成部１５０２は、サブキャリアごとに、９点の代表信号点１７０２に対してシンボル候補を生成する（第１段階）。シンボル生成部１５０２は、このシンボル候補のうちで最も尤度が大きくなるシンボル候補を選択し、このシンボル候補に対応する領域１７０１を代表する９個の信号点１７０４を選択する（第２段階）。シンボル生成部１５０２は、このシンボル候補のうちで最も尤度が大きくなるシンボル候補を選択し、このシンボル候補に対応する領域１７０３にある４個の信号点１７０５を選択する。そして、シンボル生成部１５０２は、この選択された４個の信号点に基づいて、シンボル候補を生成する（第３段階）。
【００４４】
（例２）  
第２の例について図１８を参照して説明する。シンボル生成部１５０２は、サブキャリアごとに、４点の代表信号点１８０２に対してシンボル候補を生成する（第１段階）。シンボル生成部１５０２は、このシンボル候補のうちで最も尤度が大きくなるシンボル候補を選択し、このシンボル候補に対応する領域１８０１を代表する４個の信号点１８０４を選択する（第２段階）。シンボル生成部１５０２は、このシンボル候補のうちで最も尤度が大きくなるシンボル候補を選択し、このシンボル候補に対応する領域１８０３にある４個の信号点１７０５を選択する。そして、シンボル生成部１５０２は、この選択された４個の信号点に基づいて、シンボル候補を生成する（第３段階）。
【００４５】
次に、一例として図１８の場合でのシンボル生成部１５０２に関係する動作について図１９を参照して説明する。  
まず１番目（ｎ＝１）のサブキャリアについて（ステップＳ１９０１）、第１段階目（ステップＳ１９０２）の信号点４個１８０２のうちの１番目（ステップＳ１９０３）を選択してシンボル候補を生成する（ステップＳ１９０４）。ＩＦＦＴ１０７が逆フーリエ変換し、レプリカ生成部１０８がレプリカを生成し、尤度算出部１０９が、このレプリカとデータ保持部１０４から出力されるデジタル信号との尤度を計算する（ステップＳ１９０５）。信号点４個１８０２のうちの２番目から４番目までも１番目と同様に尤度を計算する（ステップＳ１９０６、ステップＳ１９０８、ステップＳ１９０４、ステップＳ１９０５）。
【００４６】
ステップＳ１９０７で、第１段階の信号点４個１８０２のうちの尤度が最大の信号点を選択する。ここで、尤度が最大の信号点は、領域１８０１に含まれる信号点だとする。そして、ステップＳ１９１１で第２段階に進む。この場合は、第２象限にある信号点を含む領域１８０１が選択される。そして、信号点４個１８０４において、ステップＳ１９０３からステップＳ１９０８までを実行する。
【００４７】
ステップＳ１９０７で、第２段階の信号点４個１８０４のうちの尤度が最大の信号点を選択する。ここで、尤度が最大の信号点は、領域１８０３に含まれる信号点だとする。この場合は、第２象限の中の領域１８０３が選択される。この結果、１番目のサブキャリアの信号点が４個の信号点１８０５のうちの最も尤度が高い１つの信号点と決定される。
【００４８】
以上の動作をｎ番目（ｎは自然数）のサブキャリアについても、ステップＳ１９０２からステップＳ１６１１までを行えば、ｎ番目のサブキャリアの信号点を決定することができる。
【００４９】
以上に示した第６の実施形態のＯＦＤＭ復調装置によれば、設定したシンボル候補に対応するシンボル判定値に応じて、次に設定するシンボル候補を決定することで、シンボル候補の領域を徐々に狭めることができるので、シンボル候補の数が少なくなる。したがって、本実施形態のＯＦＤＭ復調装置によれば、処理量を削減することが可能になる。
【００５０】
（第７の実施形態）   
本実施形態のＯＦＤＭ復調装置は、複数のサブキャリアを複数のグループに分けて各グループごとにシンボル判定をする。第１の実施形態のＯＦＤＭ復調装置と同一の装置部分は同一の符号を付しその説明を省略する。  
本実施形態のＯＦＤＭ復調装置は、第１の実施形態とは、シンボル生成部２００１及びシンボル判定部２００２のみが異なる。シンボル生成部２００１は、第１、第２、第３信号点生成部２００３，２００４，２００５と、サブキャリアマッピング部３０２を含む。シンボル判定部２００２は、第１、第２、第３シンボル判定部２００６，２００７，２００８と、判定シンボル保持部２００９を含む。
【００５１】
シンボル生成部２００１は、ＯＦＤＭシンボル（例えば、図２１の２１０１）を複数のサブキャリア群（例えば、図２１の２１０２，２１０３，２１０４）にわけて、各サブキャリア群に対応するシンボル候補を生成する。シンボル判定部２００２は、サブキャリア群ごとに各サブキャリアの尤度が最大のシンボルを選択する。
【００５２】
第１、第２、第３信号点生成部２００３，２００４，２００５は、それぞれ、特定のサブキャリアに対する信号点のみを生成する。サブキャリアマッピング部３０２は、各信号点生成部が生成した信号点をサブキャリアにマッピングする。
【００５３】
第１、第２、第３シンボル判定部２００６，２００７，２００８は、サブキャリア群ごとに各サブキャリアの尤度が最大のシンボルを選択する。判定シンボル保持部２００９は、各サブキャリア群に含まれる各サブキャリアの尤度が最大のシンボルを記憶しておく。
【００５４】
具体例を挙げて説明する。いま、ＯＦＤＭシンボルのサブキャリアが１２（Ｓ１からＳ１２まで）個であるとする。この場合、例えば、第１信号点生成部２００３は（Ｓ１、０、Ｓ４、０、０、Ｓ７、０、０、Ｓ１０、０、０）のサブキャリア群に対して信号点を生成し、第２信号点生成部２００４は（０、Ｓ２、０、０、Ｓ５、０、０、Ｓ８、０、０、Ｓ１１、０）のサブキャリア群に対して信号点を生成し、第３信号点生成部２００５は（０、０、Ｓ３、０、０、Ｓ６、０、０、Ｓ９、０、０、Ｓ１２）のサブキャリア群に対して信号点を生成する。  
この各サブキャリア群に対応して第１、第２、第３シンボル判定部２００６，２００７，２００８のいずれかが動作しシンボル判定を行う。例えば、図２０のように、第ｋ信号点生成部から信号点が生成されれば第ｋシンボル判定部がシンボル判定をする（ｋ＝１，２，３）。
【００５５】
次に、本実施形態のＯＦＤＭ復調装置の動作について図２２を参照して説明する。  
上位レイヤがシンボル生成部２００１の第１信号点生成部２００３を選択し、レプリカ生成部１０８が第１信号点生成部２００３で生成された信号を使用してレプリカを生成する（ステップＳ２２０１）。尤度算出部１０９が、データ保持部１０４で記憶されていたデジタル信号とレプリカとの尤度を算出する（ステップＳ２２０２）。上位レイヤが第１シンボル判定部２００６を選択し、第１シンボル判定部２００６がサブキャリアごとに、第１信号点生成部２００３に対応したシンボルを判定する（ステップＳ２２０３）。２００９が第１シンボル判定部２００６の判定結果を記憶する（ステップＳ２２０４）。  
同様にして、第２、第３信号点生成部２００４，２００５、第２、第３シンボル判定部２００７，２００８でも処理が行われる（ステップＳ２２０５からステップＳ２２０８まで、ステップＳ２２０９からステップＳ２２１２まで）。
【００５６】
最後に、ステップＳ２２１３で、判定シンボル保持部２００９に記憶されている、第１、第２、第３シンボル判定部２００６，２００７，２００８の判定結果をまとめて出力する。
【００５７】
このようにサブキャリア群にわけて計算すれば、例えば、ＯＦＤＭシンボルが１２個のサブキャリアからなり、変調方式がＱＰＳＫの場合、計算する状態数は、４１２＝１６７７７２１６から３×４４＝７６８に減少する。このように、本実施形態によれば、処理量は指数関数的に減少する。
【００５８】
以上に示した第７の実施形態のＯＦＤＭ復調装置によれば、ＯＦＤＭシンボルを複数のサブキャリア群に分けることで、シンボル候補の数が少なくなるため、処理量を削減することが可能になる。
【００５９】
（第８の実施形態）   
本実施形態のＯＦＤＭ復調装置は、第７の実施形態のＯＦＤＭ復調装置とは、第２以降のサブキャリア群のシンボル候補を生成する際は、それ以前に判定されたシンボル判定結果を利用することのみ異なる。第１、第７の実施形態のＯＦＤＭ復調装置と同一の装置部分は同一の符号を付しその説明を省略する。
【００６０】
本実施形態のＯＦＤＭ復調装置は、第７の実施形態のＯＦＤＭ復調装置とは以下の点が異なる。シンボル生成部２３０１に合成部２３０３，２３０４を含むことと、シンボル判定部２３０２に含まれる判定シンボル保持部２３０５が判定結果を合成部２３０３，２３０４に出力することである。
【００６１】
シンボル生成部２３０１は、ＯＦＤＭシンボルの最初のサブキャリア群の信号点を第１の実施形態の場合のように生成して、次にＯＦＤＭシンボルのあるサブキャリア群の信号点を生成する場合に、それ以前に同一のＯＦＤＭシンボルの他のサブキャリア群についてシンボル判定の結果が存在する場合はその判定結果を反映させて信号点を生成する。  
具体的に図２１、図２４を参照して説明する。ＯＦＤＭシンボル（図２４の２４０１）を複数のサブキャリア群（図２１の２１０２，２１０３，２１０４）に分け、同一ＯＦＤＭシンボルの第１のサブキャリア群（図２１の２１０２）の信号点のシンボル判定結果を反映させて第２のサブキャリア群（図２１の２１０３）に対応するシンボル（図２４の２４０３）を生成する。さらに、第１、第２のサブキャリア群（図２１の２１０２、２１０３）の信号点のシンボル判定結果を反映させて第３のサブキャリア群（図２１の２１０４）に対応するシンボル（図２４の２４０４）を生成する。
【００６２】
次に、本実施形態のＯＦＤＭ復調装置の動作について図２５を参照して説明する。第７の実施形態で示した図２２のステップと同一のステップは同一の番号を付してその説明を省略する。  
ステップＳ２２０４までは第７の実施形態の図２２と同様である。ステップＳ２５０１で、合成部２３０３が、第２信号点生成部２００４で生成した信号点と、判定シンボル保持部２３０５が記憶している第１シンボル判定部２００６で得られた第１シンボル判定結果を合成して、この合成結果を利用してレプリカ生成部１０８がレプリカを生成する。尤度算出部１０９が、データ保持部１０４で記憶されていたデジタル信号とレプリカとの尤度を算出する（ステップＳ２５０２）。  
次のステップＳ２２０７とステップＳ２２０８は図２２と同様である。次にステップＳ２５０３では、合成部２３０４が、第３信号点生成部２００５で生成した信号と、判定シンボル保持部２３０５が記憶している第１、２シンボル判定部２００６、２００７で得られた第１、２シンボル判定結果を合成して、この合成結果を利用してレプリカ生成部１０８がレプリカを生成する。尤度算出部１０９が、データ保持部１０４で記憶されていたデジタル信号とレプリカとの尤度を算出する（ステップＳ２５０４）。  
以上に示した第８の実施形態のＯＦＤＭ復調装置によれば、ＯＦＤＭシンボルのあるサブキャリア群の信号点を生成する場合に、それ以前に同一のＯＦＤＭシンボルの他のサブキャリア群についてシンボル判定の結果が存在する場合はその判定結果を反映させて信号点を生成することにより、後に判定するほど、サブキャリア群の各サブキャリアの信号点の判定精度を向上することができる。
【００６３】
（第９の実施形態）   
本実施形態のＯＦＤＭ復調装置は、第８の実施形態のＯＦＤＭ復調装置とは、第２以降のサブキャリア群のシンボル候補を生成する際にそれ以前に判定されたシンボル判定結果を利用することは同様であるが、尤度算出部１０９で算出された最大の尤度が所定値以上になるまで、繰り返しシンボル判定を行うことが異なる。第１、第７、第８の実施形態のＯＦＤＭ復調装置と同一の装置部分は同一の符号を付しその説明を省略する。
【００６４】
本実施形態のＯＦＤＭ復調装置は、第８の実施形態のＯＦＤＭ復調装置とは以下の点が異なる。シンボル生成部２６０１に合成部２６０３を新たに含むことと、シンボル判定部２６０２に含まれる判定シンボル保持部２６０４が判定結果を合成部２６０３に出力することと、繰り返し判定部２６０５を備えたことである。
【００６５】
シンボル生成部２６０１は、ＯＦＤＭシンボルのあるサブキャリア群の信号点を生成する場合に、それ以前に同一のＯＦＤＭシンボルの他のサブキャリア群についてシンボル判定の結果が存在する場合はその判定結果を反映させて信号点を生成する。  
合成部２６０３は、第１信号点生成部２００３で生成した信号点と判定シンボル保持部２６０４が記憶している第２、第３シンボル判定部２００７、２００８で得られた第２、第３シンボル判定結果を合成し、合成結果をサブキャリアマッピング部３０２に出力する。  
判定シンボル保持部２６０４は、第８の実施形態と異なり合成部２６０３にもシンボル判定結果を出力する。  
繰り返し判定部２６０５は、尤度算出部１０９で算出される尤度を参照して、これら算出された尤度のうちの最大の尤度が予め定めた閾値よりも大きいか否かを判定し、閾値よりも大きい場合はこのＯＦＤＭシンボルについてシンボル判定を行わず、閾値よりも大きくない場合はこのＯＦＤＭシンボルについて繰り返しシンボル判定を行う。繰り返し判定部２６０５は、シンボル生成部２６０１及びシンボル判定部２６０２に指令を送り、繰り返しシンボル判定を行わせたり中止させたりする。
【００６６】
具体的に図２１、図２７を参照して説明する。ＯＦＤＭシンボル（図２７の２４０１）を複数のサブキャリア群（図２１の２１０２，２１０３，２１０４）に分け、同一ＯＦＤＭシンボルの第１のサブキャリア群（図２１の２１０２）の信号点のシンボル判定結果を反映させて第２のサブキャリア群（図２１の２１０３）に対応するシンボル（図２７の２４０３）を生成する。さらに、第１、第２のサブキャリア群（図２１の２１０２、２１０３）の信号点のシンボル判定結果を反映させて第３のサブキャリア群（図２１の２１０４）に対応するシンボル（図２７の２４０４）を生成する。またさらに、第２、第３のサブキャリア群（図２１の２１０３、２１０４）の信号点のシンボル判定結果を反映させて第１のサブキャリア群（図２１の２１０２）に対応するシンボル（図２７の２７０１）を生成する。本実施形態のＯＦＤＭ復調装置は、繰り返し判定部２６０５が繰り返しを終了する指令をシンボル生成部２６０１及びシンボル判定部２６０２に発するまで、この動作を繰り返す。
【００６７】
以上に示した第９の実施形態のＯＦＤＭ復調装置によれば、ＯＦＤＭシンボルのあるサブキャリア群の信号点を生成する場合に、それ以前に同一のＯＦＤＭシンボルの他のサブキャリア群についてシンボル判定の結果が存在する場合はその判定結果を反映させて信号点を生成することにより、後に判定するほど、サブキャリア群の各サブキャリアの信号点の判定精度を向上することができる。
【００６８】
本実施形態によれば、特に、第１のサブキャリア群に対応するシンボルを再度生成する場合に第２のサブキャリア群等の信号点判定結果を反映させることができるので、第１のサブキャリア群の各サブキャリアの信号点の判定精度を向上することができる。
【００６９】
（第１０の実施形態）   
本実施形態のＯＦＤＭ復調装置は、伝送路応答推定値に基づいて、信頼度の高い１本以上のサブキャリアのシンボルを生成して、それから１本ずつサブキャリアを追加してシンボルを生成する。第１の実施形態のＯＦＤＭ復調装置と同一の装置部分は同一の符号を付しその説明を省略する。  
最尤シンボル判定部２８０１は、Ｃｈ推定部１０２からの伝送路応答値に基づいて信頼度の高いサブキャリアについてシンボル生成し、Ｃｈ推定部１０２からの伝送路応答値に基づいてレプリカ（replica）を生成し、データ保持部１０４に記憶されているデジタル信号とレプリカとの尤度が最大となるシンボルを選択すると判定する。
【００７０】
シンボル生成部２８０２は、Ｃｈ推定部１０２からの伝送路応答推定値に基づいて、信頼度の高い１本以上のサブキャリアのシンボルを生成する。シンボル判定部１１０は、この生成されたシンボルに対応するサブキャリアの信号点を判定する。続いて、シンボル生成部２８０２は、信頼度の高いサブキャリアの信号点判定結果を反映させて残りのサブキャリアから少なくとも１本ずつ加えてシンボル生成する。
【００７１】
具体的に図２９を参照して説明する。シンボル生成部２８０２は、ＯＦＤＭシンボル２９０１から信頼度の高い５本のサブキャリア２９０２のシンボルを生成する。その後、シンボル判定部１１０はこれらの信号点のシンボル判定を行い、その後１本ずつサブキャリアを追加して（２９０３〜２９０９）、追加するごとにシンボル判定部１１０は追加した信号を含めてシンボル判定を行う。
【００７２】
次に、シンボル生成部２８０２について図３０を参照して説明する。  
シンボル生成部２８０２は、サブキャリアレベル閾値設定部３００１、高信頼キャリア選択部３００２、信号点生成部３０１、サブキャリアマッピング部３０２を含んでいる。  
サブキャリアレベル閾値設定部３００１は、Ｃｈ推定部１０２が推定した、周波数領域におけるチャネル応答（すなわち、伝送路応答）の振幅レベルの閾値を設定する。図３０では、サブキャリアレベル閾値設定部３００１は、閾値を−６０ｄＢｍに設定する。この閾値は、シミュレーション又は実験等によって、伝搬環境、ＯＦＤＭ復調装置の性能等に依存して決定される。
【００７３】
高信頼キャリア選択部３００２は、サブキャリアレベル閾値設定部３００１で設定された閾値以上の振幅を有するサブキャリアを選択する。高信頼キャリア選択部３００２は、選択しなかったサブキャリアは消失させる。図３０の例では、高信頼キャリア選択部３００２は、サブキャリアＳ２、Ｓ４、Ｓ８、Ｓ９、Ｓ１２を選択している。また、高信頼キャリア選択部３００２は、他のサブキャリアの信号点を０に設定する。
【００７４】
以上に示した第１０の実施形態のＯＦＤＭ復調装置によれば、信頼度の高いサブキャリアの信号点判定結果を反映させて信頼度の低いサブキャリアの信号点を判定することで、信頼度の低いサブキャリアの信号点の判定精度を向上することができる。また、本実施形態のＯＦＤＭ復調装置によれば、シンボル候補の数が少なくなるため、処理量を削減することが可能になる。
【００７５】
（第１１の実施形態）   
本実施形態のＯＦＤＭ復調装置は、受信した信号のドップラーシフト量に基づいてレプリカを生成し、このレプリカにより尤度を算出しシンボル判定を行う。第１の実施形態のＯＦＤＭ復調装置と同一の装置部分は同一の符号を付しその説明を省略する。  
本実施形態のＯＦＤＭ復調装置は、第１の実施形態のＯＦＤＭ復調装置に加えて、ドップラーシフト推定部３１０１を新たに設け、また、レプリカ生成部３１０３が遅延波合成部３２０１を含んでいる。
【００７６】
ドップラーシフト推定部３１０１は、アンテナ１０１で受信した信号のドップラーシフト量を推定する。ドップラーシフト推定部３１０１は、マルチパス成分の位相回転量Ｐを推定する。
【００７７】
レプリカ生成部３１０３は、Ｃｈ推定部１０２が推定した伝送路応答推定値およびドップラーシフト推定部３１０１が推定したドップラーシフト推定値に基づいて受信信号のレプリカを生成する。レプリカ生成部３１０３に含まれる遅延波合成部３２０１は、ＧＩを付加した信号Ｘ（ｔ）とチャネル係数Ｈ、遅延時間τ、位相回転量Ｐに基づいて遅延波を生成し合成する。遅延波合成部３２０１は、例えば、合成信号Ｙｒ＝Ｘ（ｔ）＋Ｈ×ｅｘｐ（ｊＰｔ）×Ｘ（ｔ−τ）を出力する。ここで、ｊ２＝−１である。
【００７８】
以上に示した第１１の実施形態のＯＦＤＭ復調装置によれば、ドップラーシフト推定値を考慮して受信信号のレプリカを生成することで、シンボル判定精度を向上することができる。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８０】
【図１】本発明の第１の実施形態にかかるＯＦＤＭ復調装置のブロック図。
【図２】図１の最尤シンボル判定部でのデジタル信号が変化する様子を示す図。
【図３】図１の最尤シンボル判定部のブロック図。
【図４】本発明の第２の実施形態にかかるＯＦＤＭ復調装置のブロック図。
【図５】図４のシンボル生成部がサブキャリアを零に設定する様子を示す図。
【図６】本発明の第３の実施形態にかかるＯＦＤＭ復調装置のブロック図。
【図７】図６のシンボル生成部がサブキャリアを零に設定する様子を示す図。
【図８】図６のシンボル生成部のブロック図。
【図９】本発明の第４の実施形態にかかるＯＦＤＭ復調装置のブロック図。
【図１０】図９のシンボル生成部がサブキャリアを零に設定する様子を示す図。
【図１１】図９のシンボル生成部のブロック図。
【図１２】本発明の第５の実施形態にかかるＯＦＤＭ復調装置のブロック図。
【図１３】図１２のシンボル生成部が振幅の小さい信号点候補の精度を下げる様子を示す図。
【図１４】図１２のシンボル生成部のブロック図。
【図１５】本発明の第６の実施形態にかかるＯＦＤＭ復調装置のブロック図。
【図１６】図１１のシンボル生成部が２段階でシンボル候補を減らす一例を示す図。
【図１７】図１１のシンボル生成部が３段階でシンボル候補を減らす一例を示す図。
【図１８】図１１のシンボル生成部が３段階でシンボル候補を減らす別例を示す図。
【図１９】図１５のシンボル生成部が関係する動作について説明するためのフローチャート。
【図２０】本発明の第７の実施形態にかかるＯＦＤＭ復調装置のブロック図。
【図２１】シンボル生成部がＯＦＤＭシンボルを複数のサブキャリア群にわける様子を示す図。
【図２２】図２０のＯＦＤＭ復調装置の動作を示すフローチャート。
【図２３】本発明の第８の実施形態にかかるＯＦＤＭ復調装置のブロック図。
【図２４】図２３のシンボル生成部がシンボル生成をする様子を示した図。
【図２５】図２３のＯＦＤＭ復調装置の動作を示すフローチャート。
【図２６】本発明の第９の実施形態にかかるＯＦＤＭ復調装置のブロック図。
【図２７】図２６のシンボル生成部がシンボル生成をする様子を示した図。
【図２８】本発明の第１０の実施形態にかかるＯＦＤＭ復調装置のブロック図。
【図２９】図２８のシンボル生成部がシンボル生成をする様子を示した図。
【図３０】図２８のシンボル生成部のブロック図。
【図３１】本発明の第１１の実施形態にかかるＯＦＤＭ復調装置のブロック図。
【図３２】図３１の最尤シンボル判定部のブロック図。
【符号の説明】
【００８１】
１０１…アンテナ、１０２…Ｃｈ推定部、１０３…保持区間制御部、１０４…データ保持部、１０５、６０１、９０１、１２０１、１５０１…最尤シンボル判定部、１０６、６０２、９０２、１２０２、１５０２、２００１、２３０１、２６０１、２８０２…シンボル生成部、１０７…ＩＦＦＴ、１０８、３１０３…レプリカ生成部、１０９…尤度算出部、１１０、２００２、２００６，２００７，２００８、２３０２、２６０２…シンボル判定部、２０１…シンボル候補、２０３…レプリカ、３０１、２００３，２００４，２００５…信号点生成部、３０２…サブキャリアマッピング部、３０３…ＧＩ付加部、３０４、３２０１…遅延波合成部、３０５…最小誤差検出部、３０６…シンボル保持部、４０１…デインターリーブ部、４０２…畳み込み復号部、６０３…伝送情報検出部、８０１…消失キャリア間隔決定部、１１０１…消失サブキャリア選択部、１１０２…サブキャリアレベル閾値設定部、１４０１…信号点保持部、１４０２…信号点振幅算出部、１４０３…信号点振幅閾値設定部、１４０４…小振幅信号点検出部、１４０５…低精度信号点保持部、１４０６…信号点選択部、１６０２、１７０２、１７０４、１８０２、１８０４…代表信号点、１７０１、１７０３、１８０１、１８０３…領域、１７０５、１８０５…信号点、２００９、２３０５、２６０４…判定シンボル保持部、２３０３，２３０４、２６０３…合成部、２６０５…繰り返し判定部、２８０１、３１０２…最尤シンボル判定部、２９０１…シンボル、２９０２…サブキャリア、３００１…サブキャリアレベル閾値設定部、３００２…高信頼キャリア選択部、３１０１…ドップラーシフト推定部。
【図１】
2006157732.tif 000003
【図２】
2006157732.tif 000004
【図３】
2006157732.tif 000005
【図４】
2006157732.tif 000006
【図５】
2006157732.tif 000007
【図６】
2006157732.tif 000008
【図７】
2006157732.tif 000009
【図８】
2006157732.tif 000010
【図９】
2006157732.tif 000011
【図１０】
2006157732.tif 000012
【図１１】
2006157732.tif 000013
【図１２】
2006157732.tif 000014
【図１３】
2006157732.tif 000015
【図１４】
2006157732.tif 000016
【図１５】
2006157732.tif 000017
【図１６】
2006157732.tif 000018
【図１７】
2006157732.tif 000019
【図１８】
2006157732.tif 000020
【図１９】
2006157732.tif 000021
【図２０】
2006157732.tif 000022
【図２１】
2006157732.tif 000023
【図２２】
2006157732.tif 000024
【図２３】
2006157732.tif 000025
【図２４】
2006157732.tif 000026
【図２５】
2006157732.tif 000027
【図２６】
2006157732.tif 000028
【図２７】
2006157732.tif 000029
【図２８】
2006157732.tif 000030
【図２９】
2006157732.tif 000031
【図３０】
2006157732.tif 000032
【図３１】
2006157732.tif 000033
【図３２】
2006157732.tif 000034